(57)【要約】【課題】植物の二酸化炭素消費機能を、簡易な操作で且つ短時間で評価することができる評価装置を提供すること。【解決手段】植物の少なくとも一部（６）を収容できる受容部（１２）と開閉が可能な蓋部（１１）からなり、受容部の内面（１２１）または蓋部の内面（１１１）が発光体（１１２）と二酸化炭素濃度センサ（１２２）を備えている照光・センサ部（１）、照光・センサ部から延びる電気配線（２）を介して前記二酸化炭素濃度センサに接続されている、該センサで感知した二酸化炭素濃度値に基づくデータを表示する表示装置（３）、そして前記の発光体、二酸化炭素濃度センサ及び表示装置のそれぞれに電気的に接続されている電源（５）を含む、照光下にある植物の二酸化炭素消費機能を評価する装置。【選択図】図１
2010091424.tif 000002
【特許請求の範囲】
【請求項１】
植物の少なくとも一部を収容できる受容部と開閉が可能な蓋部からなり、受容部の内面または蓋部の内面が発光体と二酸化炭素濃度センサを備えている照光・センサ部、照光・センサ部から延びる電気配線を介して前記二酸化炭素濃度センサに接続されている、該センサで感知した二酸化炭素濃度値に基づくデータを表示する表示装置、そして前記の発光体、二酸化炭素濃度センサ及び表示装置のそれぞれに電気的に接続されている電源もしくは電源に接続可能な端子を含む、照光下にある植物の二酸化炭素消費機能を評価する装置。
【請求項２】
植物の少なくとも一部を収容できる受容部と開閉が可能な蓋部からなり、受容部の内面または蓋部の内面が発光体と二酸化炭素濃度センサを備えている照光・センサ部、二酸化炭素濃度センサを備える参照用センサ部、照光・センサ部及び参照用センサ部の各々から延びる電気配線を介して前記の両者の二酸化炭素濃度センサに接続されている、前記の各々のセンサで感知した二酸化炭素濃度値の差の値に基づくデータを表示する表示装置、そして前記の発光体、各々の二酸化炭素濃度センサ及び表示装置のそれぞれに電気的に接続されている電源もしくは電源に接続可能な端子を含む、照光下にある植物の二酸化炭素消費機能を評価する装置。
【請求項３】
発光体の発光色が赤色である請求項１もしくは２に記載の装置。
【請求項４】
発光体が有機エレクトロルミネッセンス素子である請求項３に記載の装置。
【請求項５】
受容部と蓋部とが連結している請求項１もしくは２に記載の装置。
【請求項６】
蓋部の内面と受容部の内面との角度が変化しながら開閉する請求項１もしくは２に記載の装置。
【請求項７】
受容部の内面および蓋部の内面の一方が発光体を備え、他方が二酸化炭素濃度センサを備えている請求項１もしくは２に記載の装置。
【発明の詳細な説明】
【技術分野】
【０００１】
本発明は、照光下にある植物の二酸化炭素消費機能を評価する装置に関する。
【背景技術】
【０００２】
近年、地球温暖化の原因となる大気中の二酸化炭素（炭酸ガス）濃度の削減が求められている。そして、このような大気中の二酸化炭素を吸収する植物の特性を身近に観測できる実験装置の開発が行なわれている。
【０００３】
特許文献１には、植物を収容して密閉される筐体と、筐体内の環境変化手段と、筐体内の二酸化炭素の濃度を検出するセンサと、このセンサの検出値に基づくデータの表示手段とを備える植物の二酸化炭素吸収実験装置が開示されている。この実験装置を用いて、筐体に植物を収容して密閉し、次いで筐体内の環境を変化させながら筐体内の二酸化炭素の濃度を測定することにより、二酸化炭素の消費を伴う植物の光合成の作用を確認することができる。そして、同文献には、前記の実験装置を用いることにより、簡単な操作で、植物の光合成の作用を正確に且つ分かり易く実験者に把握させることができると記載されている。
【特許文献１】特開２００７−７９３２０号公報
【発明の開示】
【発明が解決しようとする課題】
【０００４】
前記の実験装置により、植物の光合成の作用を正確に観測することができる。しかしながら、この実験装置は、実験を行なう際に、植物を筐体内に収容可能な状態に、例えば、鉢に植えられた植物の高さを筐体内に収容可能な高さに調整する必要がある。また、筐体内に収容できない植物、例えば、自然環境にて自生している植物、特に樹木について実験を行なうことは困難である。また、種類の異なる植物について比較実験を行なう際には、各々の種類の植物を筐体内に収容可能な状態に調整し、そして植物を一種類ずつ筐体内に収容して順番に実験を行なう必要がある。このため、前記文献の実験装置は、短時間で且つ簡易に実験を行なうことが難しい。
【０００５】
本発明の目的は、植物の二酸化炭素消費機能を、簡易な操作で且つ短時間で評価することができる評価装置を提供することにある。
【課題を解決するための手段】
【０００６】
本願発明者等は、前記の特許文献１の装置のように植物を気密空間に配置しなくとも、植物に光を照射することにより、植物の周囲の二酸化炭素濃度値が、二酸化炭素濃度センサで感知可能な変動を示し、かつ簡易な評価に十分な短時間での変動を示すという知見に基づいて、本発明の評価装置を完成した。
【０００７】
本発明は、植物の少なくとも一部を収容できる受容部と開閉が可能な蓋部からなり、受容部の内面または蓋部の内面が発光体と二酸化炭素濃度センサを備えている照光・センサ部、照光・センサ部から延びる電気配線を介して前記二酸化炭素濃度センサに接続されている、前記センサで感知した二酸化炭素濃度値に基づくデータを表示する表示装置、そして前記の発光体、二酸化炭素濃度センサ及び表示装置のそれぞれに電気的に接続されている電源もしくは電源に接続可能な端子を含む、照光下にある植物の二酸化炭素消費機能を評価する装置にある。
【０００８】
本発明はまた、植物の少なくとも一部を収容できる受容部と開閉が可能な蓋部からなり、受容部の内面または蓋部の内面が発光体と二酸化炭素濃度センサを備えている照光・センサ部、二酸化炭素濃度センサを備える参照用センサ部、照光・センサ部及び参照用センサ部の各々から延びる電気配線を介して前記の両者の二酸化炭素濃度センサに接続されている、前記の各々のセンサで感知した二酸化炭素濃度値の差の値に基づくデータを表示する表示装置、そして前記の発光体、各々の二酸化炭素濃度センサ及び表示装置のそれぞれに電気的に接続されている電源もしくは電源に接続可能な端子を含む、照光下にある植物の二酸化炭素消費機能を評価する装置にもある。
【０００９】
前記の本発明の評価装置の好ましい態様は、次の通りである。
（１）発光体の発光色が赤色である。
（２）発光体が有機エレクトロルミネッセンス素子である。
（３）蓋部と受容部が連結している。
（４）蓋部の内面と受容部の内面との角度が変化しながら開閉する。
（５）受容部の内面および蓋部の内面の一方が発光体を備え、他方が二酸化炭素濃度センサを備えている。
なお、受容部と蓋部とは相対的な概念である。本願明細書では、容積が大きい方を受容部、小さい方を蓋部と称する。蓋部の容積は無くても（容積が０であっても）よい。受容部には、植物の一部（通常は一枚の葉）を入れるだけの容積が必要である。受容部と蓋部との容積が全く同じであってもよい。
【発明の効果】
【００１０】
本発明の評価装置は、測定対象の植物を気密空間に配置するのではなく、蓋部が開閉することにより測定対象の植物を外界に対して開放または密閉できる。従って、必要に応じて、外界の光や空気を遮断した条件で、植物の二酸化炭素消費機能を評価することができる。
蓋部の内面と受容部の内面との角度が変化しながら開閉する場合は、植物に対する光の照射角度を変化させて、測定することもできる。また、蓋部と受容部からなる構成は、発光体と二酸化炭素濃度センサとに対する保護機能も有している。
【発明を実施するための最良の形態】
【００１１】
本発明の評価装置を、添付の図面を用いて説明する。
図１は、本発明の評価装置の構成例を示す図である。
図１に示す評価装置は、照光下にある植物の二酸化炭素消費機能を評価するために用いられる。この評価装置は、照光・センサ部１、電気配線２、表示装置３および電源５（図１では図示せず）からなる。
照光・センサ部１は、植物の少なくとも一部を収容できる受容部１２と開閉が可能な蓋部１１からなる。蓋部１１の内面１１１には、有機エレクトロルミネッセンス素子からなる発光体１１２が備えられている。一方、受容部１２の内面１２１には、二酸化炭素濃度センサ１２２が備えられている。受容部１２には、植物の一部（通常は葉）を容易に収容するための切り欠き１２３を設けてもよい。
【００１２】
本願発明では、受容部の内面および蓋部の内面に、発光体と二酸化炭素濃度センサとが備えられていれば良い。従って、受容部の内面に発光体と二酸化炭素濃度センサとが備えられている場合、蓋部の内面に発光体と二酸化炭素濃度センサとが備えられている場合、受容部の内面に発光体が備えられ蓋部の内面に二酸化炭素濃度センサが備えられている場合、受容部の内面に二酸化炭素濃度センサが備えられ蓋部の内面に発光体が備えられている場合（図１に示す態様）のいずれでもよい。ただし、照光・センサ部１は、片手で運搬、操作できる大きさとすることが望ましい。照光・センサ部１を小型にするためには、受容部の内面および蓋部の内面の一方に発光体を設け、他方に二酸化炭素濃度センサを設け得る（機能を受容部と蓋部に分離する）ことが望ましい。有機エレクトロルミネッセンス素子を使用することによって、発光体の方が、二酸化炭素濃度センサよりも容易に薄型にできる。従って、図１に示す態様のように、受容部の内面に二酸化炭素濃度センサを設け、蓋部の内面に発光体を設けることが最も好ましい。
蓋部と受容部は、外光の影響を避けるため、不透明な（光の透過率が８０％未満、好ましくは６０％未満、さらに好ましくは４０％未満の）材料から構成することが好ましい。
【００１３】
受容部と蓋部との開閉方式について、特に制限はない。スライド式の蓋部を用いてもよい。また、蓋部が受容部から完全に分離ができるように設計してもよい。ただし、蓋部と受容部とは連結している方が好ましい。また、植物に対する光の照射角度を変化させて測定する場合は、蓋部の内面と受容部の内面との角度が変化しながら開閉する方法が望ましい。例えば、図１に示すように、蝶番１３を用いて蓋部と受容部とを接続することにより、蓋部の内面と受容部の内面との角度を変化させながら開閉することができる。
【００１４】
表示装置３は、照光・センサ部１から延びる電気配線２を介して二酸化炭素濃度センサ１２２に接続されている。表示装置３は、二酸化炭素濃度センサ１２２で感知した二酸化炭素濃度値に基づくデータの表示面３１を有する。図１に示す表示装置３には、さらに、センサのスイッチ３２と発光体のスイッチ３３も取り付けられている。
【００１５】
図２は、本発明の評価装置の別の構成例を示す図である。
図２に示す評価装置は、照光下にある植物の二酸化炭素消費機能を評価するために用いられる。この評価装置は、照光・センサ部１、電気配線２、表示装置３、電源５（図２では図示せず）および参照用センサ部４からなる。
照光・センサ部１、電気配線２および表示装置３は、図１と同様である。
【００１６】
図３は、図１に示す照光・センサ部の部分断面図（Ｘ−Ｙ、Ｘ−Ｚ方向を含む面で切断した図）である。
図３に示すように、発光体として機能する有機エレクトロルミネッセンス素子１１２は、基板１１３上に設けられている。
図４は、図１の評価装置の電気回路図である。
図４に示すように、電源５は、必要に応じてセンサのスイッチ３２を経由して、表示装置３および二酸化炭素濃度センサ１２２に電気的に接続されている。また、電源５は、必要に応じて発光体のスイッチ３３を経由して、表示装置３および発光体（有機エレクトロルミネッセンス素子）１１２にも電気的に接続されている。
【００１７】
図１〜４に示す評価装置では、照光・センサ部１の発光体として、有機エレクトロルミネッセンス素子１１２が用いられている。発光体としては、有機エレクトロルミネッセンス素子に代えて、無機エレクトロルミネッセンス素子、発光ダイオード、あるいは小型電球などの公知の発光体を用いることができる。植物の光合成を活発にするには、植物に主として赤色光を照射することが好ましい。このため、発光体の発光色は赤色であることが好ましい。また、植物には、前記の赤色光に加えて、青色光を補助的に照射することも好ましい。従って、発光体としては、発光色の設定が容易であり、また低消費電力であることから、有機エレクトロルミネッセンス素子あるいは発光ダイオードを用いることが好ましく、発光の形状やサイズ（面積）の設定が容易であることから、有機エレクトロルミネッセンス素子（以下、有機ＥＬ素子という）を用いることが特に好ましい。
【００１８】
有機ＥＬ素子１１２は、例えば、ガラスに代表される透明な基板１１３の表面（図３では内側の面）に形成される。
有機ＥＬ素子１１２は、基板１１３の表面に、例えば、透明陽電極層、有機発光材料層、そして陰電極層をこの順に積層して製造される。有機ＥＬ素子１１２は、前記の陽電極層と陰電極層との間に電気エネルギーを付与すると、陽電極層から正孔が、そして陰電極層から電子が、それぞれ有機発光材料層の内部に注入され、この正孔と電子とが有機発光材料層の内部で再結合することにより、有機発光材料層にて有機発光材料により定まる色の発光を生じる。この発光は、透明電極層、そして透明な基板１１３を通って、照光・センサ部１の外部に取り出される。なお、例えば、基板１１３の外側の面に発光体として複数個の発光ダイオードを並べて設置する場合には、基板１１３は透明である必要はない。
【００１９】
有機ＥＬ素子１１２の発光色を赤色に設定するには、前記の有機発光材料層を形成する有機発光材料として、例えば、４−（ジシアノメチレン）−２−メチル−６−ジュロリジル−９−エニル−４Ｈ−ピラン（４−（Ｄｉｃｙａｎｏｍｅｔｈｙｌｅｎｅ）−２−ｍｅｔｈｙｌ−６−ｊｕｌｏｌｉｄｙｌ−９−ｅｎｙｌ−４Ｈ−ｐｙｒａｎ）を用いることができる。また、発光色を青色に設定するには、有機発光材料として、例えば、ペリレンを用いることができる。
【００２０】
また、有機発光材料層の内部にて再結合させる正孔と電子とのそれぞれを、有機発光材料層の内部に効率良く注入して、有機ＥＬ素子の発光効率を高くするため、陽電極層と有機発光材料層との間に正孔輸送層、そして陰電極層と有機発光材料層との間に電子輸送層を付設することもできる。
有機ＥＬ素子の材料、構成及び製造方法は周知である。
【００２１】
二酸化炭素濃度センサ１２２としては、公知の固体電解質型の二酸化炭素濃度センサが用いられている。二酸化炭素濃度センサとしては、公知のもの、例えば、光学式の二酸化炭素濃度センサを用いることもできる。光学式の二酸化炭素濃度センサは、赤外光を発生する光源と、フォトダイオードなどの光センサとが互いに間隔をあけて配置された構成を有している。光学式の二酸化炭素濃度センサの構成を本願発明に応用する場合は、受容部１２と蓋部１１の一方に、発光体とセンサを配置することになる。
光学式の二酸化炭素濃度センサは、光センサで検出する赤外光の強度が、光源と光センサとの間にある二酸化炭素の濃度に応じて変動することを利用して、二酸化炭素の濃度を感知する。光学式の二酸化炭素濃度センサは、その測定精度の低下を抑制するため、有機ＥＬ素子の発光が光源と光センサとの間を通らないように配置（例えば、有機ＥＬ素子よりも照光・センサ部の内部の側に配置）することが好ましい。
【００２２】
有機ＥＬ素子の吸湿による発光特性の劣化を抑制するため、有機ＥＬ素子を取り付ける蓋部または受容部の内部を真空空間、あるいは不活性ガスが充填された空間とすることができる。また、有機ＥＬ素子の表面に公知の低透湿性の樹脂材料膜（例えば、有機ＥＬ素子を気密封止するために用いられている紫外線硬化型のアクリル樹脂などから形成された膜）を付設することもできる。
【００２３】
二酸化炭素濃度センサ１２２には、照光・センサ部１から延びる電気配線２を介して、センサ１２２で感知した二酸化炭素濃度値を表示する表示装置３が接続されている。表示装置３の表示面３１には、液晶表示装置を用いることができる。二酸化炭素濃度センサ１２２と表示装置３との間には、センサ１２２が出力する電気信号を増幅する増幅器、前記電気信号を演算して表示装置にて表示させるデータを作成する演算装置などが備えられていてもよい。
【００２４】
図１に示すように、表示装置３は、二酸化炭素濃度センサ１２２で感知された二酸化炭素濃度値を表示する。表示装置３により、センサ１２２で感知した二酸化炭素濃度値に基づいて、例えば、二酸化炭素の濃度の時間変動のデータをグラフとして表示させることもできる。
【００２５】
なお、前記の有機ＥＬ素子（発光体）１１２、二酸化炭素濃度センサ１２２及び表示装置３のそれぞれには、駆動のための電源５が接続されている。外部の電源を用いる場合には、前記の電源５に代えて、外部の電源に接続可能な端子を用いることもできる。
【００２６】
図１〜図４に示すセンサのスイッチ３２を入れることにより、電源５から、二酸化炭素濃度センサ１２２及び表示装置３の各々に電気エネルギーが供給され、これによりセンサ１２２で感知した二酸化炭素濃度値が表示装置３に表示される。一方、発光体のスイッチ３３を入れることにより、電源５から、有機ＥＬ素子１１２に電気エネルギーが供給され、有機ＥＬ素子１１２を発光させることができる。電源５と有機ＥＬ素子１１２との間には、有機ＥＬ素子１１２の発光の強度等を制御する装置が備えられていてもよい。
【００２７】
図５は、図１に示す照光・センサ部を開いた状態を示す図である。
図５に示すように、測定対象となる植物の一部（図では葉）６を、照光・センサ部１の蓋部１１と受容部１２との間に置く。開放系または斜めからの光照射での測定では、この状態で測定を実施することができる。
図６は、図１に示す照光・センサ部を閉じた状態を示す図である。
図６に示すように、照光・センサ部１の蓋部１１と受容部１２とを閉じて、測定対象となる植物の一部（図では葉）６を照光・センサ部１の蓋部１１と受容部１２との間に挟む。閉鎖系または正面から光照射での測定では、この状態で測定を実施することができる。
【００２８】
本願発明に従う評価装置により、以下のようにして、植物の二酸化炭素消費機能の評価を行なうことができる。
評価装置の照光・センサ部１を、実験者が手で持って移動させ、図５に示すように、測定対象の植物の葉６を照光・センサ部１の蓋部１１と受容部１２との間に置く。次に、図６に示すように、蓋部１１と受容部１２とを閉じて葉６を照光・センサ部１の蓋部１１と受容部１２との間に挟む。
【００２９】
次に、センサのスイッチ３２を入れる。これにより、表示装置３には、センサ１２２で感知された二酸化炭素濃度値が表示される。このとき表示される二酸化炭素濃度値は、植物が光合成を殆ど行なわないため、室内の二酸化炭素濃度値とほぼ同じ値を示す。
【００３０】
そして、発光体のスイッチ３３を入れると、有機ＥＬ素子１１２が発光し、植物が光合成のために周囲の二酸化炭素を消費するため、表示装置３で表示される二酸化炭素濃度値が低下し始める。
実験者は、前記のような二酸化炭素濃度値の変動を確認することにより、植物の二酸化炭素消費機能を、簡易な操作で且つ短時間で評価することができる。
【００３１】
本発明の評価装置は、照光・センサ部の持ち運びが容易であるため、植物を気密空間に配置する必要がなく、評価のために植物を移動する必要もない。また、気密空間には収容できない自然環境にて自生している植物、特に樹木についても二酸化炭素消費機能の評価を行なうことができる。
【００３２】
同様に、屋外に自生している植物の評価を行なうこともできる。本願発明の装置は、光源を備えて、蓋部の開閉により外界の影響を調整できるため、外界の天候（晴れ、曇り、雨）や日当たり（日向、日陰、昼、夜）に影響されることがなく、植物の二酸化炭素消費機能の評価を行なうことができる。
【００３３】
参照用センサ部４が備えられている図２の評価装置を使用する測定では、表示装置３が、照光・センサ部１の二酸化炭素濃度センサ１２２と、参照用センサ部４の二酸化炭素濃度センサとの各々が感知した二酸化炭素濃度値の差の値を表示する。
これにより、小学生などの小さな子供にも、照光・センサ部１と参照用センサ部４とが、各々が置かれている位置以外は全く同一の条件で二酸化炭素の濃度を感知していることが容易に理解できる。
【００３４】
図２の表示装置３の表示面３１は、照光・センサ部１の二酸化炭素濃度センサ１２２と、参照用センサ部４の二酸化炭素濃度センサとの各々が感知した二酸化炭素濃度値の差の値を表示する。この表示装置３は、前記の二酸化炭素濃度値の差の値を演算する装置を備えている。図２に示す表示装置３により、前記の二酸化炭素濃度値の差の値と共に表示されたマイナスの記号は、植物が吸収した二酸化炭素の量を表示していることをイメージし易いように付されたものである。また、小さな子供にも植物の二酸化炭素消費機能が容易に理解できるように、表示装置３により、前記の二酸化炭素濃度値の差の値の表示に代えて、あるいは二酸化炭素濃度値の差の値の表示と共に、前記の差の値に基づくバーグラフなどの視覚的に容易に理解できるデータを表示させることもできる。
【００３５】
図２の評価装置は、室内を暗くしたりすることなく、極めて簡単に植物の二酸化炭素消費機能を評価できるという利点を有している。なお、この評価装置では、有機ＥＬ素子１１２を発光させる前には、照光・センサ部１の二酸化炭素濃度センサ１２２で感知される二酸化炭素濃度値と、参照用センサ部４の二酸化炭素濃度センサで感知される二酸化炭素濃度値とがほぼ等しい。このため、表示装置３には、通常、両者の濃度値の差である零の値が表示される。そして有機ＥＬ素子１１２を発光させると、表示装置３で表示される数値が増加して、これにより植物が二酸化炭素を消費していることを確認することができる。
【実施例】
【００３６】
［実施例１］
図１の評価装置の照光・センサ部１を、室内に置かれた鉢植えの植物の葉の表面から５ｃｍ離れた位置に配置した。有機ＥＬ素子は、赤色発光の有機ＥＬ素子片と、青色発光の有機ＥＬ素子片とから構成した。
【００３７】
評価装置の照光・センサ部１を、実験者が手で持って移動させ、図５に示すように、測定対象の植物の葉６を照光・センサ部１の蓋部１１と受容部１２との間に置いた。次に、図６に示すように、蓋部１１と受容部１２とを閉じて葉６を照光・センサ部１の蓋部１１と受容部１２との間に挟んだ。このとき二酸化炭素濃度センサ１２２で感知された二酸化炭素濃度値は７３０ｐｐｍであった。
【００３８】
続いて、有機ＥＬ素子１１２を発光させ、この発光（光量子束密度：約４．５μモル／ｍ2秒）を植物に照射した。これにより、二酸化炭素濃度センサ１２２で感知される二酸化炭素の濃度が、２分という短時間の間に５５０ｐｐｍまで低下した。
【産業上の利用可能性】
【００３９】
本発明の装置を用いることにより、植物の二酸化炭素消費機能を簡単な操作で且つ短時間で評価することができる。従って、地球環境を護るための、特に地球温暖化防止のための、植林や緑化事業の重要性を認知させるキャンペーンなどで有効に利用することができる。
【図面の簡単な説明】
【００４０】
【図１】本発明の評価装置の構成例を示す図である。
【図２】本発明の評価装置の別の構成例を示す図である。
【図３】図１に示す照光・センサ部の部分断面図（Ｘ−Ｙ、Ｘ−Ｚ方向）である。
【図４】図１の評価装置の電気回路図である。
【図５】図１に示す照光・センサ部を開いた状態を示す図である。
【図６】図１に示す照光・センサ部を閉じた状態を示す図である。
【符号の説明】
【００４１】
１  照光・センサ部
１１  蓋部
１１１  蓋部の内面
１１２  有機エレクトロルミネッセンス素子（発光体）
１１３  基板
１２  受容部
１２１  受容部の内面
１２２  二酸化炭素濃度センサ
１２３  切り欠き
１３  蝶番
２  電気配線
２２  参照用センサ部と表示装置との間の配線
３  表示装置
３１  表示面
３２  センサのスイッチ
３３  発光体のスイッチ
４  参照用センサ部
５  電源
６  測定対象の植物の葉
【図１】
2010091424.tif 000003
【図２】
2010091424.tif 000004
【図３】
2010091424.tif 000005
【図４】
2010091424.tif 000006
【図５】
2010091424.tif 000007
【図６】
2010091424.tif 000008